(57)【要約】【課題】ポータブル機器の表示器の照明点灯時間を極力短くして低消費電力化を図る。【解決手段】表示器を照明する照明光源を具備したポータブル機器において、記憶装置６に過去のキ−操作の時間情報を記憶しておき、今操作されたキ−と、過去のキ−操作との時間の関連から、表示器２の照明であるバックライト１の点灯時間を短くしても良いかどうかを判断して、点灯の必要がないときは消灯し、点灯の必要あるときのみ点灯することで点灯時間をさらに短くし消費電力を低減する。【選択図】図１
2008298953.tif 000002
【特許請求の範囲】
【請求項１】
液晶表示器等の表示器を照明する照明光源を具備したポータブル機器において、過去のキ−操作の種類と操作後の時間に関する情報を記憶する記憶装置と、現在と過去のキー操作とその操作後の時間を解析してその結果により前記照明光源の点灯または消灯および点灯時間を制御する制御装置とを具備した照明回路。
【請求項２】
前記照明光源は前記表示器の後部から照明するバックライトである請求項１記載の照明回路。
【請求項３】
前記制御装置は、前記ポータブル機器が再生状態のときバックスキップ操作が所定時間以上の間隔で複数回操作されたときは前記照明を消灯し、所定時間以内の間隔で複数回操作されたときは第２の所定時間前記照明を点灯するよう前記照明光源を制御する請求項１または２記載の照明回路。
【発明の詳細な説明】
【技術分野】
【０００１】
本発明は、ポータブル機器の表示装置を照明する照明回路に関するものである。
【背景技術】
【０００２】
従来、ポータブル機器の表示装置の照明は、キー操作により一定時間点灯しているのが普通であり、内蔵している電池の電圧がある値以下になったら点灯させないようにするくらいの制御しかしていなかった。
【０００３】
図３は従来の照明回路を示すブロック図、図４は従来の照明回路の制御フローチャートを示すものである。図３において、照明光源であるバックライト１１は液晶表示器（ＬＣＤ）１２を後方から照射する。制御装置（マイコン）１３は、判定回路１４、タイマー１５からの情報およびは操作キー１６，１７，１８，１９からの入力によりＬＣＤ１２およびバックライト１３を制御するよう構成されている。
【０００４】
図４に示すように、従来のＬＣＤ制御プログラムにおいて、符号２９はキー入力、３０は判断、３１、３２は処理を示している。バックライト消灯時であってＰＬＡＹの状態からのキー入力２９が発生すると、判断３０で判定回路１４が図示しない電池電圧が決められたある値（以下閾値）以上かどうかを判定し、電池電圧が閾値以上であればバックライトの３０秒間の点灯処理３２を行い、電池電圧が閾値以下であれば点灯させない（処理３１）というようにバックライトの点灯時間を決めていた。このように、従来は電池電圧が閾値以上の時は、どんなキーを押されても、たとえば３０秒間はバックライトを点灯させていた。
【０００５】
また特許文献1には、入力部からの操作信号によりタイマーが起動され、予め設定された時間「Ｔ」の期間照明点灯信号をＯＮにするように動作するが、受信信号状態がＯＮであれば時刻「Ｔ１」経過後に点灯信号を即座にＯＦＦすることによりデータ取得中などの意味のない情報が表示されるときに照明をＯＦＦにする技術が開示されている。
【特許文献１】特開２００２−３７４２００号公報
【発明の開示】
【発明が解決しようとする課題】
【０００６】
最近のポータブル機器は電子回路の低消費電力化が進み、どんどん消費電流が少なくなっている。そのような状況にあって、照明用のバックライトを必要以上に点灯させることは大きな電力を必要とし、低消費電力化を妨げていた。このようなバックライトが点灯するようなポータブル機器においては、さらなる低消費電力化が要求されており、照明回路も如何に消費電力を減らすかが求められている。
【０００７】
本発明は、照明回路の点灯時間をさらに短くして、電池寿命をさらに延ばすことを可能にしたポータブル機器の照明回路を提供することを目的としてなされたものである。
【課題を解決するための手段】
【０００８】
上記課題に対応するために本発明の照明回路は、液晶表示器等の表示器を照明する照明光源を具備したポータブル機器において、過去のキ−操作の種類と操作後の時間に関する情報を記憶する記憶装置と、現在と過去のキー操作とその操作後の時間を解析してその結果により前記照明光源の点灯または消灯および点灯時間を制御する制御装置とを具備した構成となっている。
【０００９】
また、この照明回路において、前記照明光源は前記表示器の後部から照明するバックライトとすることができる。
【００１０】
さらに、この照明回路において、前記制御装置は前記ポータブル機器が再生状態のときバックスキップ操作が所定時間以上の間隔で複数回操作されたときは前記照明を消灯し、所定時間以内の間隔で複数回操作されたときは第２の所定時間前記照明を点灯するよう前記照明光源を制御することができるものである。
【００１１】
本発明は上記の構成により記憶装置に過去のキー操作と操作後の経過時間に関する情報を記憶しておき、今操作されたキーと過去のキー操作との関連およびそれらの時間間隔から、バックライトの点灯が不要か、点灯時間を短くしても良いかどうかを判断して、点灯時間をさらに短くするように作用させるものである。
【発明の効果】
【００１２】
本発明の照明回路は、記憶している過去の操作と、現在の操作との関連とその操作間隔を解析することにより照明の点灯時間を短くして、低消費電力化を図り、ポータブル機器の電池寿命を増大させることが可能となる。
【発明を実施するための最良の形態】
【００１３】
以下本発明の一実施形態について、図面に基づいて説明する。本実施形態においては、内蔵電池により動作し、たとえば半導体メモリ等を記憶媒体として、機器の操作状態や動作状態を表示する液晶表示器（ＬＣＤ）を有し、そのＬＣＤを内蔵電池で発光させるバックライトにより照明してＬＣＤ表示内容を明確に見えるようにしたポータブルオーディオ機器を例として説明する。
【００１４】
図１は本発明の一実施形態におけるポータブルオーディオ機器を示すブロック図、図２は同じくその制御装置における判定のアルゴリズムを示すフローチャートである。
【００１５】
図１において、バックライト１は図示しない電池電源により点灯され液晶表示器（ＬＣＤ）を後部からライトで照らして表示内容が明確に見えるよう構成されている。マイクロコンピュータ（以下マイコン）からなる制御装置３は、少なくともＬＣＤ２の表示やバックライト１の点灯制御を行う。タイマー５は操作キー（１）７、（２）８、（３）９、（４）１０の操作の操作後の時間に関する情報、すなわち時刻情報またはタイムカウントを発生する。操作記憶装置６は上記の時間に関する情報を記憶する。判定回路４は、少なくとも操作記憶装置６に記憶された操作後の時間に関する情報を解析して判定結果を制御装置３に与え、制御装置３はそれに基づきバックライト１の点灯を制御するように構成されている。操作キーは、たとえばキー（１）７は押すたびにＰＬＡＹとＳＴＯＰが交互に入力され、他のキーも図１に示すような役割を持っている。ここでは機器の他の部分の構成は省略している。
【００１６】
以上のように構成された本実施形態のポータブルオーディオ機器について、以下図２の制御装置のフローチャートを併用しながらその動作を説明する。
【００１７】
ＰＬＡＹ状態で、かつバックライト１が消灯している状態で、キー７〜１０のいずれかからキー入力２０があった時、まず判断２１で電池電圧が閾値以上あるかどうか判定する。「いいえ」であれば、電池残量がなくなってきているので、バックライトは点灯させないという処理２６を実行する。「はい」であれば、次の判断２２に進む。ここでＰＬＡＹ状態とは、キー（１）７が押された後と、その後でＢ−ＳＫＩＰキーのキー（３）９が押された後と両方が有り得る。判断２２において、今回押されたのがＢ−ＳＫＩＰ（バックスキップ）スイッチかどうか判定する。「はい」の場合は判断２４に進み、「いいえ」の場合は判断２３に進む。
【００１８】
判断２３に進んだ場合、今回押されたのがＦ−ＳＫＩＰ（フォワードスキップ）スイッチかどうか判定する。もし、「いいえ」であれば、押されたのがＰＬＡＹ／ＳＴＯＰスイッチかＭＯＤＥスイッチであり、表示内容がＰＬＡＹ状態から大きく変わるので、処理２７へ行き、１０秒間点灯させる処理を行う。もし、「はい」であれば次の曲の先頭から再生しようとするので、曲名等を表示しなくてはいけないので、処理２８へ進み、３０秒間点灯させる。
【００１９】
判断２４に進んだ場合は、今回押されたのがＢ−ＳＫＩＰスイッチで、前回押されたのが同じくＢ−ＳＫＩＰの場合で且つ３秒以上の間隔がある場合は、これから再生しようとしている曲は今聞いていた曲なので、曲名等は一度表示され、操作している人は認識していることになる。よって判断２４で、「はい」であれば、処理２６へ行き、一度表示した曲名なのでバックライトは点灯させない。判断２４で「いいえ」であれば、次の判断２５に進む。
【００２０】
判断２５では、さらに前々回、何のスイッチが押されたかを判定する。前前回もＢ−ＳＫＩＰスイッチが押されていて、且つ６秒以上経過しているとしたら、今聞いていた曲の先頭に戻ってそこから再生するわけであるが、Ｂ−ＳＫＩＰキーを押す前に、少なくとも３秒以上はその曲の曲名を表示していたことになるので、操作者は一度曲名を見ていることになる。よって、「はい」であれば処理２６に進み、バックライトは点灯させない。
【００２１】
判断２５で「いいえ」であれば、Ｂ−ＳＫＩＰスイッチを短い間隔で押していることになるので、今まで再生していたのとは違う、曲名表示を見ていない曲にスキップしようとしていると判断され、曲名を操作者に明確に見せる必要があるため、処理２８へ進み、バックライトを３０秒間点灯させる。
【００２２】
３秒、６秒、１０秒、３０秒といった時間は、制御装置３の制御プログラムに組み込まれ、タイマー５によって生成される。
【００２３】
ここで判断２４や２５で判断に用いる時間間隔については、タイマー５と操作記憶装置６と判定回路４の動作にはいろいろな組み合わせが考えられる。一つはタイマー５は時計であり、操作記憶装置６は操作キーの名称と、そのキーを押したときの時刻を組にして記憶する。ここではＢ−ＳＫＩＰ操作後の時間情報が必要なので一つ前のキー操作記憶部６１にはＢ−ＳＫＩＰ操作をしたときのみにその操作時の時刻を記憶する。このようにしておけばＢ−ＳＫＩＰキー操作とその操作に関する時間情報が組にして記憶されたのと同様になり、操作内容と時間情報のすべてを組にして記憶する必要はなくなる。つぎに再度Ｂ−ＳＫＩＰ操作がされた時には、まず一つ前のキー操作記憶部６１に記憶された時刻を、二つ前のキー操作記憶部６２に移すとともに、一つ前のキー操作記憶部６１に最後にＢ−ＳＫＩＰ操作がされた時刻を記憶する。さらにＢ−ＳＫＩＰキーが押されたときにはデータの移動に伴って二つ前のキー操作記憶部６２の記憶は破棄される。判定回路４は判定に際して、一つ前のキー操作記憶部６１、二つ前のキー操作記憶部６２の記憶と、判定時点のタイマー５の時刻情報から相互の経過時間を算出して判定する。
【００２４】
タイマー５と操作記憶装置６と判定回路４の他の動作の組み合わせとして、タイマーは所定間隔のパルスを発生し、Ｂ−ＳＫＩＰキーが押されると、まず一つ前のキー操作記憶部６１にカウント数の記憶が始まる。再度Ｂ−ＳＫＩＰキーが押されると、一つ前のキー操作記憶部６１のカウントが二つ前のキー操作記憶部６２に移され、一つ前のキー操作記憶部６１と二つ前のキー操作記憶部６２両方にタイマー5からのカウントがそれぞれ追加される。さらにＢ−ＳＫＩＰキーが押されたときにはデータの移動に伴って二つ前のキー操作記憶部６２の記憶は破棄される。判定回路４は判定に際して、一つ前のキー操作記憶部６１、二つ前のキー操作記憶部６２に記憶されたカウント数から経過時間を算出して判定する。
【００２５】
なお、上記の実施形態では、たとえばメモリーカードを記憶媒体に用いたポータブルオーディオ機器の例を挙げたが、これに限定されることなく、光ディスクやハードディスク等を記憶媒体に用いたものも含まれる。
【００２６】
また、表示装置はＬＣＤで例示したが、照明を必要とする表示装置であればどのような方式の表示装置もすべて含まれるものである。
【００２７】
また、表示装置を照明するのはバックライトとして例示したが、バックライトだけではなく、表示装置表面を照明するものも含まれる。
【００２８】
さらに、実施形態で挙げた３秒とか３０秒などの設定時間は一例であり、時間は必要に応じて適宜設定すればよい。
【００２９】
以上のように本実施形態によれば、過去のキー操作による時間情報を記憶装置に記憶しておき、現在のキー操作との関連と、どれくらいの過去であるかの時間から判断することにより、バックライトを点灯させなくて良い、または短時間の表示でよいと判断することが可能であり、消費電力を大幅に削減できることとなる。
【産業上の利用可能性】
【００３０】
本発明によれば、照明時間を短くすることでポータブル機器の消費電力を大幅に削減することが可能であり、同じ容量の電池を使用していたとしても、長時間使用でき、単にポータブルオーディオ機器だけではなく、ＬＣＤを初めとする表示装置とそれを照明する照明装置とを有するポータブル機器全てにおいて、消費電力の大幅な削減を可能とするものである。
【図面の簡単な説明】
【００３１】
【図１】本発明の一実施形態におけるポータブルオーディオ機器を示すブロック図
【図２】同じくその制御装置における判定のアルゴリズムを示すフローチャート
【図３】従来の照明回路を示したブロック図
【図４】従来の照明回路の制御フローチャート
【符号の説明】
【００３２】
１    バックライト
２    液晶表示器（ＬＣＤ）
３    制御装置
４    判定回路
５    タイマー
６    操作記憶装置
７、８、９、１０    操作キー
【図１】
2008298953.tif 000003
【図２】
2008298953.tif 000004
【図３】
2008298953.tif 000005
【図４】
2008298953.tif 000006